(57)【特許請求の範囲】
【請求項１】
各々が第１マークを有する複数の単位帳票からなる連続帳票を各単位帳票毎に裁断する裁断機と、
単位帳票を所定枚数重ね合わせる丁合機と、
丁合機で重ね合わされた単位帳票の束を、第２マークを有するコンテナ内に投入する投入機と、
コンテナを投入機まで搬送するコンベアと、
第１マーク用の第１読取機および第２マーク用の第２読取機とを備え、
第１読取機からの情報に基づいて、裁断機と丁合機を制御して帳票の束を作製するとともに、第１読取機からの情報と第２読取機からの情報を照合して投入すべきコンテナを定めて投入機を制御する制御装置を設け、
制御装置は第１読取機からの情報に基づいて、ある単位帳票の第１マークの読
取が不良であり、かつその前後の単位帳票の第１マークが同一の場合に、当該単
位帳票の第１マークは前後の単位帳票の第１マークと同一とみなして丁合機を制
御することを特徴とする帳票処理システム。
【請求項２】
各々が第１マークを有する複数の単位帳票からなる連続帳票を各単位帳票毎に裁断する裁断機と、
単位帳票を所定枚数重ね合わせる丁合機と、
丁合機で重ね合わされた単位帳票の束を、第２マークを有するコンテナ内に投入する投入機と、
コンテナを投入機まで搬送するコンベアと、
第１マーク用の第１読取機および第２マーク用の第２読取機とを備え、
第１読取機からの情報に基づいて、裁断機と丁合機を制御して帳票の束を作製するとともに、第１読取機からの情報と第２読取機からの情報を照合して投入すべきコンテナを定めて投入機を制御する制御装置を設け、
制御装置は第１読取機からの情報に基づいて、ある単位帳票の第１マークの読取が不良であり、かつその前後の単位帳票の第１マークが異なる場合に、当該単位帳票の第１マークが前後の単位帳票のいずれかの第１マークと同一である旨の外部からの追加指示情報を参照して丁合機を制御することを特徴とする帳票処理システム。
【請求項３】
丁合機の下流側に、丁合機で重ね合わされた帳票の束をホチキス止めするステッチ部を設けたことを特徴とする請求項１または２記載の帳票処理システム。
【発明の詳細な説明】
【０００１】
【発明の属する技術分野】
本発明は、帳票の束を作製し、この帳票の束をコンテナ内に投入する帳票処理システムに関する。
【０００２】
【従来の技術】
従来より、帳票処理システムとして、連続帳票を裁断機で裁断して複数の単位帳票とし、この単位帳票を丁合機で丁合して帳票の束を作製し、この帳票の束をコンテナ内に投入機から投入するものが知られている。
【０００３】
この帳票処理システムにおいて、各単位帳票には予めマークが設けられ、このマークを読取機で読み取るとともに、読取機からの情報に基づいて制御装置により、裁断機と丁合機が制御されるようになっている。
【０００４】
【発明が解決しようとする課題】
上述のように従来の帳票処理システムでは、各単位帳票毎に設けられたマークを読取機で読み取り、読取機からの情報に基づいて制御装置により裁断機と丁合機を制御している。
【０００５】
しかしながら、投入機からコンテナ内に帳票の束を投入する作業は手動で行なっているのが実情である。
【０００６】
本発明はこのような点を考慮してなされたものであり、連続帳票から帳票の束を作製する作業、および帳票の束を所望のコンテナ内に投入する作業を自動的に行なうことができる帳票処理システムを提供することを目的とする。
【０００７】
【課題を解決するための手段】
本発明は、各々が第１マークを有する複数の単位帳票からなる連続帳票を各単位帳票毎に裁断する裁断機と、単位帳票を所定枚数重ね合わせる丁合機と、丁合機で重ね合わされた単位帳票の束を、第２マークを有するコンテナ内に投入する投入機と、コンテナを投入機まで搬送するコンベアと、第１マーク用の第１読取機および第２マーク用の第２読取機とを備え、第１読取機からの情報に基づいて、裁断機と丁合機を制御して帳票の束を作製するとともに、第１読取機からの情報と第２読取機からの情報を照合して投入すべきコンテナを定めて投入機を制御する制御装置を設けたことを特徴とする帳票処理システムである。
【０００８】
本発明によれば、制御装置は第１読取機からの情報に基づいて裁断機と丁合機を制御する。この場合、裁断機により連続帳票が各単位帳票毎に裁断され、丁合機により所定枚数の単位帳票が重ね合わされて所望の単位帳票の束が得られる。制御装置は第１読取機からの情報と第２読取機からの情報を照合して、投入すべきコンテナを定め、投入機を制御して投入機により単位帳票の束がコンテナに投入される。
【０００９】
【発明の実施の形態】
以下、図面を参照して本発明の実施の形態について説明する。図１乃至図４は、本発明による帳票処理システムの一実施の形態を示す図である。
【００１０】
図１および図２に示すように、帳票処理システム１０は、連続帳票１を裁断して複数の単位帳票２を作製し、この単位帳票２の束をコンテナ５内に投入するものである。
【００１１】
このうち連続帳票１は、図２（ａ）に示すように、各々がバーコード等の機械読み取りコードからなる第１マーク３を有する複数の単位帳票２からなっており、連続帳票１には、各単位帳票２毎に裁断しやすいようにミシン目４が予め設けられている。このような単位帳票２としては、伝票のような帳票が考えられる。
【００１２】
またコンテナ５の外面には、バーコード等の機械読み取りコードからなる第２マーク６が貼付されている（図２（ｂ））。
【００１３】
上述した第１マーク３は、作製すべき単位帳票２の束を作製する際用いられ、第２マーク６は第１マーク３と照合され、作製された単位帳票２の束を投入すべきコンテナ５を特定するものである。
【００１４】
次に図１により、帳票処理システムの概略について述べる。図１に示すように、帳票処理システムは、連続帳票１を載置して給紙する給紙台１１と、給紙台１１から給紙される連続帳票１を各単位帳票２毎に裁断する裁断機１２と、裁断機１２で得られた単位帳票２を所定枚数重ね合わせる（丁合する）丁合機１３と、丁合機１３で重ね合わされた単位帳票２の束をコンテナ５内へ投入する投入機１５とを備えている。
【００１５】
また給紙台１１と裁断機１２との間には、第１マークを読み取る第１読取機１７が設けられている。さらにコンテナ５は、コンベア２０により投入機１５下方まで搬送され、コンベア２０の側方にはコンテナ５の外面に設けられた第２マーク６を読み取る第２読取機１８が設けられている。
【００１６】
さらにまた、丁合機１３と投入機１５との間には、丁合機１３により重ね合わされた単位帳票２の束をホチキス止めするステッチ部１４が設けられている。
【００１７】
また、帳票処理システムは制御装置２５を有している。この制御装置２５は第１読取機１７からの情報に基づいて、裁断機１２と丁合機１３を制御して所定枚数からなる単位帳票２の束を作製するものである。また制御装置２５は、第１読取機１７からの情報と第２読取機１８からの情報を照合して、投入すべきコンテナ５を特定して投入機１５を制御するようになっている。
【００１８】
次にこのような構成からなる本実施の形態の作用について説明する。
【００１９】
まず、図３および図４に示すように、伝票等からなる単位帳票２を複数連結して構成された連続帳票１が給紙台１１上に載置され、給紙台１１上の連続帳票１が連続的に給紙されて裁断機１２側へ送られる。この間、各単位帳票１上の第１マーク３が第１読取機１７により読み取られ、第１読取機１７からの情報は制御装置２５へ送られる。
【００２０】
連続帳票１が裁断機１２へ送られると、裁断機１２において連続帳票１がミシン目４に沿って裁断され、連続帳票１から複数の単位帳票２が得られる。
【００２１】
この単位帳票２は、その後搬送ライン２２を経て丁合機１３へ送られ、この丁合機１３において所定枚数の単位帳票２が重ね合わされて、単位帳票２の束が作製される。
【００２２】
この間、制御装置２５は、第１読取機１７からの情報に基づいて裁断機１２および丁合機１３を制御する。この場合、制御装置２５により各単位帳票２の第１マーク３が相互に同一のもの同志を集めて丁合機１３において丁合する。このとき、ある単位帳票２の第１マーク３の読取が不良であり、かつ前後の単位帳票２の第１マーク３が同一の場合、制御装置２５は当該読取が不良の単位帳票２の第１マーク３は、前後の単位帳票２の第１マーク３と同一であるものとみなして丁合機１３を制御する。
【００２３】
また、ある単位帳票２の第１マーク３の読取が不良であり、かつ前後の単位帳票２の第１マーク３が異なる場合は、制御装置２５は警報を発する。このときオペレータが外部から当該読取不良の単位帳票２の第１マーク３が前後いずれかの単位帳票２の第１マーク３と同一もしくは異なる旨の指示情報を与える。制御装置２５は、この追加指示情報を参照して丁合機１３を制御する。
【００２４】
次に、丁合機１３において作製された単位帳票２の束は、ステッチ部１４へ送られ、このステッチ部１４においてホチキス止めされる。ホチキス止めされた単位帳票２の束は、その後投入機１５側へ送られる。
【００２５】
この間、予めコンベア２０上のコンテナ５に対して、その外面に第２マーク６が貼付される。コンテナ５がコンベア２０により搬送される間、コンテナ５の第２マーク６は、第２読取機１８により読み取られ、第２読取機１８からの情報が制御装置２５へ送られる。
【００２６】
コンテナ５がコンベア２０により投入機１５の下方まで搬送されると、コンテナ５が停止する。次に制御装置２５は、第１読取機１７からの情報と第２読取機１８からの情報を照合し、当該コンテナ５が投入機１５内の単位帳票２の束を投入すべきコンテナか否か判断する。制御装置２５は当該コンテナ５が単位帳票２の束を投入すべきコンテナであると判断した場合、投入機１５から単位帳票２の束をコンテナ５内へ投入する。一方制御装置２５が、当該コンテナ５は投入すべきコンテナではない、と判断した場合、投入機１５からの投入は行われない。
【００２７】
その後、コンテナ５はコンベア２０により排出される。
【００２８】
このように本実施の形態によれば、第１読取機１７からの情報に基づいて裁断機１２および丁合機１３を制御して所望の単位帳票２の束を作製するとともに、第１読取機１７と第２読取機１８からの情報を照合して投入すべきコンテナ５を特定して単位帳票２の束をコンテナ５内へ投入するので、所望の単位帳票２の束を作製し、その後コンテナ５内へ単位帳票２の束を投入する作業を迅速かつ確実に行なうことができる。
【００２９】
【発明の効果】
以上のように本発明によれば、裁断機と丁合機により所望の単位帳票の束を作製する作業と、この単位帳票の束をコンテナへ投入機から投入する作業を迅速かつ確実に行なうことができる。
【図面の簡単な説明】
【図１】本発明による帳票処理システムの一実施の形態を示す概略図。
【図２】連続帳票、およびコンベア上のコンテナを示す図。
【図３】帳票処理システムの作業工程概略図。
【図４】帳票処理システムの作業を示すフローチャート。
【符号の説明】
１  連続帳票
２  単位帳票
３  第１マーク
５  コンテナ
６  第２マーク
１０  帳票処理システム
１１  給紙台
１２  裁断機
１３  丁合機
１４  ステッチ部
１５  投入機
１７  第１読取機
１８  第２読取機
２０  コンベア
２５  制御装置
【図１】
0004657439.tif 000002
【図２】
0004657439.tif 000003
【図３】
0004657439.tif 000004
【図４】
0004657439.tif 000005